(57)【要約】【課題】狭隘なスペースであっても、パンタグラフを簡単に装着できる押しボタンの連結構造およびその構造を用いた車載用音響装置を提供する。【解決手段】操作パネル１３にパンタグラフ２５の動作支点２５Ａを係止し、この動作支点２５Ａを中心に回動して、パンタグラフ２５の可動点２５Ｂを押しボタン１５に係止することにより、この押しボタン１５を操作パネル１３に連結した押しボタンの連結構造において、パンタグラフ２５の動作支点２５Ａの係止部３１Ａに、パンタグラフ２５の回動方向に対し、略後ろ向きに開口した係止溝３１Ｂを設けた。【選択図】図３
2007265759.tif 000002
【特許請求の範囲】
【請求項１】
操作パネルにパンタグラフの動作支点を係止し、この動作支点を中心に回動して、パンタグラフの可動点を押しボタンに係止することにより、この押しボタンを操作パネルに連結した押しボタンの連結構造において、前記パンタグラフの動作支点の係止部に、当該パンタグラフの回動方向に対し、略後ろ向きに開口した係止溝を設けたことを特徴とする押しボタンの連結構造。
【請求項２】
前記動作支点の係止部が、当該係止部の上方から挿入したパンタグラフを受け入れる受け溝を有し、この受け溝に前記外向きの係止溝を連続させたことを特徴とする請求項１に記載の押しボタンの連結構造。
【請求項３】
再生装置本体に設けた操作パネルにパンタグラフの動作支点を係止し、この動作支点を中心に回動して、パンタグラフの可動点を押しボタンに係止することにより、この押しボタンを操作パネルに連結した車載用音響装置において、前記パンタグラフの動作支点の係止部に、当該パンタグラフの回動方向に対し、略後ろ向きに開口した係止溝を設けたことを特徴とする車載用音響装置。
【請求項４】
前記動作支点の係止部が、当該係止部の上方から挿入したパンタグラフを受け入れる受け溝を有し、この受け溝に前記外向きの係止溝を連続させたことを特徴とする請求項３に記載の車載用音響装置。
【発明の詳細な説明】
【技術分野】
【０００１】
本発明は、押しボタンをワイヤ状のパンタグラフで操作パネル側に連結した押しボタンの連結構造およびその構造を用いた車載用音響装置に関する。
【背景技術】
【０００２】
一般に、車載用音響装置では、記録媒体としてのＣＤ−ＲＯＭ等を再生するものが知られている。この種のものでは、再生装置本体の前面に操作パネルを備えると共に、この操作パネルに大きな押しボタンを配置し、この大きな押しボタンを円滑にストレート押しできるように、金属製のワイヤ状のパンタグラフを介して、押しボタンを操作パネル側に連結したものが提案されている（例えば、特許文献１参照）。この場合、パンタグラフは、大きなボタンの端面を片側だけ押動操作しても、その端面に作用した押力を、大きなボタンの反対側の端面にも円滑に伝える機能を果たしている。
【０００３】
ところで、従来の構造では、図４Ａに示すように、操作パネル５１側の係止部５１Ａに、パンタグラフ５３の動作支点５３Ａを、押しボタン５５の押動方向に直交した方向、すなわち矢印Ａ方向に挿入して係止すると共に、当該パンタグラフ５３の可動点５３Ｂを、図４Ｂの矢印Ｂに示すように、動作支点５３Ａを中心に回動し、押しボタン５５の係止部５５Ａに係止して連結している。
【特許文献１】特開平８−３１２６３号公報
【発明の開示】
【発明が解決しようとする課題】
【０００４】
しかし、従来の構成では、パンタグラフ５３の動作支点５３Ａを、横から水平に矢印Ａ方向に挿入して係止するため、横広がりのスペースが必要になり、このスペースが取れない場合には、挿入が難作業になり、例えば横スペースに壁等があると、それが邪魔になって挿入できない、等の問題もあった。
【０００５】
そこで、本発明の目的は、上述した従来の技術が有する課題を解消し、狭隘なスペースであっても、パンタグラフを簡単に装着できる押しボタンの連結構造およびその構造を用いた車載用音響装置を提供することにある。
【課題を解決するための手段】
【０００６】
本発明は、操作パネルにパンタグラフの動作支点を係止し、この動作支点を中心に回動して、パンタグラフの可動点を押しボタンに係止することにより、この押しボタンを操作パネルに連結した押しボタンの連結構造において、前記パンタグラフの動作支点の係止部に、当該パンタグラフの回動方向に対し、略後ろ向きに開口した係止溝を設けたことを特徴とする。この場合において、前記動作支点の係止部が、当該係止部の上方から挿入したパンタグラフを受け入れる受け溝を有し、この受け溝に前記外向きの係止溝を連続させてもよい。また、再生装置本体に設けた操作パネルにパンタグラフの動作支点を係止し、この動作支点を中心に回動して、パンタグラフの可動点を押しボタンに係止することにより、この押しボタンを操作パネルに連結した車載用音響装置において、前記パンタグラフの動作支点の係止部に、当該パンタグラフの回動方向に対し、略後ろ向きに開口した係止溝を設けたことを特徴とする。この場合において、前記動作支点の係止部が、当該係止部の上方から挿入したパンタグラフを受け入れる受け溝を有し、この受け溝に前記外向きの係止溝を連続させてもよい。
【０００７】
本構成では、パンタグラフの動作支点の係止部に、回動方向に対し、略後ろ向きに開口した係止溝を設けたため、パンタグラフの装着時には、横にスペースがなくても、動作支点を、押しボタンの押動方向に挿入した後、横方向に僅かに移動し、係止溝に引っ掛けることで、簡単に装着できる。
【発明の効果】
【０００８】
本発明では、パンタグラフの動作支点の係止部に回動方向に対し、略後ろ向きに開口した係止溝を設けたため、横にスペースがなくても、動作支点を、押しボタンの押動方向に挿入した後、横方向に僅かに移動し、係止溝に引っ掛けることで、押しボタンを操作パネルに簡単に装着できる。
【発明を実施するための最良の形態】
【０００９】
以下、本発明の一実施形態を、図面に基づいて説明する。
図１において、１０は、車載用音響装置を示し、この車載用音響装置１０は、再生装置本体１１と、その前面に配置された操作パネル１３とを備えている。この操作パネル１３の表面には各種選択スイッチ（押しボタン）１５が配置されると共に、ＣＤやＤＶＤ等を挿入自在な挿入口１７が形成され、この挿入口１７から挿入されたＣＤやＤＶＤ等が、再生装置本体１１に入って、記録情報再生が行われる。
【００１０】
本構成では、各種選択スイッチ１５が、図２に示すように、操作パネル１３側に取り付けられる。この操作パネル１３の内側には樹脂製のフレーム２１が配置され、このフレーム２１は、全体として略コ字状を呈し、長辺部には上記挿入口１７が開口すると共に、３つの選択スイッチ１５が配置されている。各選択スイッチ１５は、いずれもほぼ同一構造を有し、ボタン本体２３と、このボタン本体２３を保持する金属製の丸棒ワイヤ状のパンタグラフ２５とを備えている。各ボタン本体２３は、各パンタグラフ２５を介し、フレーム２１の各台座部３１に連結されている。
【００１１】
各台座部３１は、フレーム２１の長辺部に沿って、挿入口１７とほぼ平行に延びるように、一列に配置されている。各台座部３１の両端部には、パンタグラフ２５の動作支点２５Ａを係止する係止部３１Ａが形成され、この一対の係止部３１Ａには、挿入口１７の壁面１７Ａに対向した位置に、図３に示すように、この壁面１７Ａ側に開口した係止溝３１Ｂが形成されている。挿入口１７の壁面１７Ａと、これに対向した係止部３１Ａの端面３１Ｃとの間には、係止部３１Ａの上方から矢印Ａ方向に挿入したパンタグラフ２５を受け入れる受け溝３５が形成され、この受け溝３５は、上述した係止溝３１Ｂに連通し連続する。この係止溝３１Ｂおよび受け溝３５の各々は、パンタグラフ２５の線材の直径よりも僅かに大きい溝幅を有する。
また、図２に示すように、選択スイッチ１５の壁面には一対の縦溝１５Ａが形成され、各縦溝１５Ａには、後述の壁面部３９（図３参照）から突出したリブ（図示せず）が係合し、このリブは、選択スイッチ１５がストレート押しされた場合、縦溝１５Ａ内をスライドし、これにより、ボタン動作が成立する。一般的な縦溝１５Ａの長さは８〜１０ｍｍ程度であり、これを長くすれば長くするほど、ボタン動作が円滑になる。ただし、選択スイッチ１５の形状上、これは余り長くできず、それを補うためパンタグラフ２５が用いられる。このパンタグラフ２５は、選択スイッチ１５が大きい場合、選択スイッチ１５の端面を片側だけ押動操作しても、その端面に作用した押し力を、選択スイッチ１５の反対側の端面にも円滑に伝える機能を果たす。
【００１２】
選択スイッチ１５には、パンタグラフ２５の可動点２５Ｂを係止する係止部３７が形成され、この係止部３７には外向きの溝３７Ａが形成され、この溝３７Ａは、パンタグラフ２５の動作支点２５Ａを中心に、パンタグラフ２５を回動し、パンタグラフ２５の可動点２５Ｂを保持可能に形成されている。
また、図３中で、３９は操作パネル１３の壁面部（図１参照）を示し、本構成では、この壁面部３９と、挿入口１７の壁面１７Ａとに囲まれた狭隘なスペース内に、上記選択スイッチ１５が取り付けられる。
【００１３】
つぎに、本実施の形態の動作を説明する。
操作パネル１３にパンタグラフ２５の動作支点２５Ａを係止する場合、図３Ａに示す矢印Ａ方向、すなわち鉛直上方から下方に動作支点２５Ａを押し下げる。すると、動作支点２５Ａは受け溝３５に入り、ついで、図３Ｂの矢印Ｂで示すように、動作支点２５Ａを横に僅かにスライドさせると、受け溝３５に連通した係止溝３１Ｂに入る。そして、図３Ｃの矢印Ｃで示すように、動作支点２５Ａを中心に回動し、パンタグラフ２５の可動点２５Ｂを選択スイッチ１５の係止部３７に係止する。
【００１４】
本実施の形態では、パンタグラフ２５の動作支点２５Ａの係止部３１Ａに、パンタグラフ２５の回動方向に対し、後ろ向きに開口した係止溝３１Ｃを設け、この係止溝３１Ｃに連通した受け溝３５を、挿入口１７の壁面１７Ａと、これに対向した係止部３１Ａの端面３１Ｃとの間に設けたため、パンタグラフ２５は、係止部３１Ａの上方から矢印Ａ方向に垂直挿入が可能となる。挿入以下の手順は、図４に示すように、動作支点２５Ａを係止溝３１Ｃに嵌め込み、ついで、動作支点２５Ａを中心に回動し、パンタグラフ２５の可動点２５Ｂを選択スイッチ１５の係止部３７に係止するだけの作業であり、台座部３１の両側の横スペースに対し、壁面１７Ａや壁面部３９が位置しても、パンタグラフ２５を垂直方向から簡単に装着できる。いわゆる小スペースのエリアでも取り付け作業が容易なため、十分な組み込み品質を確保できる。
【００１５】
車載用音響装置は、運転席のインストルメントパネルのような狭隘な部位に取り付けられるため、一般的にコンパクト化が図られる。従って、押しボタンの取り付け部位には、上述したように、壁面１７Ａや壁面部３９が位置することとなる。一方、運転時の操作性を向上させるため、大型の押しボタンを使用する場合、押しボタンを、パンタグラフを介して、操作パネルに取り付ける。本実施の形態では、狭隘な部位であっても、このパンタグラフを容易に取り付けることができるため、極めて簡易な構成で、十分な組み込み品質を確保することができる。
【図面の簡単な説明】
【００１６】
【図１】本発明の一実施の形態を示す斜視図である。
【図２】その要部を示す分解斜視図である。
【図３】Ａ，Ｂ，Ｃは、各々押しボタンの取り付け手順を説明する図である。
【図４】Ａ，Ｂは、各々従来の押しボタンの取り付け手順を説明する図である。
【符号の説明】
【００１７】
１０  車載用音響装置
１１  再生装置本体
１３  操作パネル
１５  選択スイッチ（押しボタン）
１７  挿入口
１７Ａ  壁面
２３  ボタン本体
２５  パンタグラフ
２５Ａ  動作支点
２５Ｂ  可動点
３１  台座部
３１Ａ  係止部
３１Ｂ  係止溝
３５  受け溝
３７  係止部
３７Ａ  溝
３９  壁面部
【図１】
2007265759.tif 000003
【図２】
2007265759.tif 000004
【図３】
2007265759.tif 000005
【図４】
2007265759.tif 000006